(57)【要約】【課題】  複数の積層構成を持つ光ディスクに対して、複数のフォーマットに従った複数のデータを効率的に記録する装置および方法を提供する。【解決手段】  多層型の光ディスクに対する記録データについてのエンコード処理、エンコードデータに基づく異なる記録フォーマットに対応する複数の変調データ生成処理、各変調データの光ディスクの異なる層への記録処理の実行において、コントローラによる処理制御によって、単位データの複数の異なるフォーマットデータの記録処理を、エンコード処理部における単位データあたりのエンコード処理時間内に完了させる制御を実行する。本構成により、入力データに対する遅れを発生させることなく光ディスクに対して異なるフォーマットのデータを各層に記録可能となる。【選択図】  図４
2007004856.tif 000002
【特許請求の範囲】
【請求項１】
多層型の光ディスクに対するデータ記録処理を実行する情報処理装置であり、
記録データについてのエンコード処理を実行するエンコード処理部と、
前記エンコード処理部におけるエンコードデータに基づいて、異なる記録フォーマットに対応する複数の変調データを生成する変調部と、
前記変調部において生成した異なる記録フォーマットに対応する変調データの各々を前記光ディスクの異なる層に順次記録するピックアップと、
前記異なる記録フォーマットに対応する複数の変調データについての単位データあたりの記録処理を、前記エンコード処理部における単位データあたりのエンコード処理時間内に完了させる処理制御を実行するコントローラと、
を有する構成であることを特徴とする情報処理装置。
【請求項２】
前記エンコード処理部は、
記録データに基づいて、ＨＤ（Ｈｉｇｈ  Ｄｅｆｉｎｉｔｉｏｎ）対応のエンコード処理、およびＳＤ（Ｓｔａｎｄａｒｄ  Ｄｅｆｉｎｉｔｉｏｎ）対応のエンコード処理を実行する構成を有し、
前記変調部は、
ＨＤ対応エンコードデータに対応する変調データと、ＳＤ対応エンコードデータに対応する変調データとを生成し、
前記コントローラは、ＨＤ対応の変調データとＳＤ対応の変調データとを前記光ディスクの異なる層に順次記録する処理制御を行なう構成であることを特徴とする請求項１に記載の情報処理装置。
【請求項３】
前記変調部は、
（ａ）ＤＶＤフォーマット、
（ｂ）Ｂｌｕ−ｒａｙフォーマット
（ｃ）ＨＤ−ＤＶＤフォーマット
上記（ａ）〜（ｃ）の少なくとも２種類のフォーマットに対応する複数の変調データを生成する処理を実行する構成であることを特徴とする請求項１に記載の情報処理装置。
【請求項４】
前記情報処理装置は、さらに、
前記エンコードデータに対する誤り訂正符号を付加するＥＣＣ回路を有し、該ＥＣＣ回路は、前記光ディスクの異なる層に順次記録するエンコードデータの各々に誤り訂正符号を付加する処理を実行する構成であることを特徴とする請求項１に記載の情報処理装置。
【請求項５】
前記コントローラは、
記録データについてのエンコード処理、誤り訂正符号付加処理、変調処理、記録処理についてのパイプライン処理制御を行なう構成であることを特徴とする請求項１に記載の情報処理装置。
【請求項６】
多層型の光ディスクに対するデータ記録処理を実行する情報処理方法であり、
記録データについてのエンコード処理を実行するエンコード処理ステップと、
前記エンコード処理ステップにおいて生成したエンコードデータに基づいて、異なる記録フォーマットに対応する複数の変調データを生成する変調ステップと、
前記変調ステップにおいて生成した異なる記録フォーマットに対応する変調データの各々を前記光ディスクの異なる層に順次記録する記録ステップと、
前記異なる記録フォーマットに対応する複数の変調データについての単位データあたりの記録処理を、前記エンコード処理ステップにおける単位データあたりのエンコード処理時間内に完了させる処理制御を実行する制御ステップと、
を有することを特徴とする情報処理方法。
【請求項７】
前記エンコード処理ステップは、
記録データに基づいて、ＨＤ（Ｈｉｇｈ  Ｄｅｆｉｎｉｔｉｏｎ）対応のエンコード処理、およびＳＤ（Ｓｔａｎｄａｒｄ  Ｄｅｆｉｎｉｔｉｏｎ）対応のエンコード処理を実行するステップであり、
前記変調ステップは、
ＨＤ対応エンコードデータに対応する変調データと、ＳＤ対応エンコードデータに対応する変調データとを生成するステップであり、
前記制御ステップは、ＨＤ対応の変調データとＳＤ対応の変調データとを前記光ディスクの異なる層に順次記録する処理制御を行なうステップであることを特徴とする請求項６に記載の情報処理方法。
【請求項８】
前記変調ステップは、
（ａ）ＤＶＤフォーマット、
（ｂ）Ｂｌｕ−ｒａｙフォーマット
（ｃ）ＨＤ−ＤＶＤフォーマット
上記（ａ）〜（ｃ）の少なくとも２種類のフォーマットに対応する複数の変調データを生成する処理を実行するステップであることを特徴とする請求項６に記載の情報処理方法。
【請求項９】
前記情報処理方法は、さらに、
前記エンコードデータに対する誤り訂正符号を付加する誤り訂正符号付加ステップを有し、該誤り訂正符号付加ステップは、前記光ディスクの異なる層に順次記録するエンコードデータの各々に誤り訂正符号を付加する処理を実行するステップであることを特徴とする請求項６に記載の情報処理方法。
【請求項１０】
前記制御ステップは、
記録データについてのエンコード処理、誤り訂正符号付加処理、変調処理、記録処理についてのパイプライン処理制御を行なうことを特徴とする請求項６に記載の情報処理方法。
【請求項１１】
多層型の光ディスクに対するデータ記録処理を情報記録処理装置において実行させるコンピュータ・プログラムであり、
記録データについてのエンコード処理を実行するエンコード処理ステップと、
前記エンコード処理ステップにおいて生成したエンコードデータに基づいて、異なる記録フォーマットに対応する複数の変調データを生成する変調ステップと、
前記変調ステップにおいて生成した異なる記録フォーマットに対応する変調データの各々を前記光ディスクの異なる層に順次記録する記録ステップと、
前記異なる記録フォーマットに対応する複数の変調データについての単位データあたりの記録処理を、前記エンコード処理ステップにおける単位データあたりのエンコード処理時間内に完了させる処理制御を実行する制御ステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに、詳細には、複数の記録層を有するディスクに対して異なるフォーマットでのデータ記録処理を実行する情報処理装置、および情報処理方法、並びにコンピュータ・プログラムに関する。
【背景技術】
【０００２】
近年、デジタルデータの記録・再生メディアとして光ディスクが多く用いられている。例えば、ＤＶＤ（Ｄｉｇｉｔａｌ  Ｖｅｒｓａｔｉｌｅ  Ｄｉｓｋ）である。
【０００３】
ＤＶＤは、近年、高画質データとしてのＨＤ（Ｈｉｇｈ  Ｄｅｆｉｎｉｔｉｏｎ）画像の記録再生のために、さらなる大容量化が図られている。具体的には、例えば青色レーザ光を利用したブルーレイディスク（Ｂｌｕ−ｒａｙ  Ｄｉｓｃ）などが開発されている。これは、レーザ光の短波長化により高密度化を実現するものである。さらにディスクの大容量化を実現する技術として記録層の多層構造化についても研究がなされている。例えば記録層を２層とすることにより、ディスクの記録容量を大幅に増加させることができる。
【０００４】
現在、ＤＶＤのデータ記録フォーマットとして、複数の異なるフォーマットが存在する。大きく分類すると、
（ａ）ＤＶＤフォーマット
（ｂ）Ｂｌｕ−ｒａｙフォーマット
（ｃ）ＨＤ−ＤＶＤフォーマット
これら（ａ）〜（ｃ）のフォーマットが存在する。
【０００５】
ＤＶＤフォーマットは、すでに普及している多くのＤＶＤメディアの記録再生に利用されている。また、Ｂｌｕ−ｒａｙフォーマット、ＨＤ−ＤＶＤフォーマットは、短波長である青色レーザを用いた高密度記録再生を可能としたデータ記録フォーマットであり、高画質データとしてのＨＤ（Ｈｉｇｈ  Ｄｅｆｉｎｉｔｉｏｎ）画像の記録再生に適したフォーマットであるとされている。なお、ＤＶＤフォーマットを用いてＨＤデータを記録することも可能ではあるが１枚のディスクに記録可能な録画時間が短くなるという問題がある。これらの各フォーマットでは、ディスクに対する記録データの生成過程において実行されるデータ変調処理などが異なり、データ再生処理においても、異なる復調処理などフォーマットに応じた処理を実行することが必要であり、相互に互換性がない。
【０００６】
従って、それぞれのフォーマットで記録されたコンテンツの再生には、それぞれのフォーマットに対応する再生シーケンスに従った処理を行なうことが必要であり、データ記録処理においても、どの記録フォーマットで記録を行なうかによって、異なる記録シーケンスに従った処理を行なうことが必要となる。
【０００７】
このように、異なるフォーマットが並列して存在する環境においては、同一のコンテンツについて、それぞれのフォーマットに従った複数種類のディスクを提供することが必要となる。ユーザは自己の保有する記録再生装置の処理可能なフォーマットに従ったディスクを選択して利用することになる。
【０００８】
Ｂｌｕ−ｒａｙフォーマット、ＨＤ−ＤＶＤフォーマットの普及率がさほど高くない現状では、多くのコンテンツは、旧来のＤＶＤフォーマットに従って記録され、ユーザに提供されている。しかし、今後は、多くのコンテンツがＢｌｕ−ｒａｙフォーマット、ＨＤ−ＤＶＤフォーマットに従って記録されユーザに提供されることになることが予測される。
【０００９】
また、ブロードキャスト（放送）コンテンツ、あるいはインターネットを介してユーザに配信されるコンテンツにおいても、ＨＤ画像データコンテンツの占める割合が次第に高くなってきており、ユーザ側でのコンテンツ記録処理も、旧来のＤＶＤフォーマットから、Ｂｌｕ−ｒａｙフォーマット、ＨＤ−ＤＶＤフォーマットに、次第に移行することが予測される。
【００１０】
しかし、現状において、ユーザの保有する記録再生装置の多くは、ＤＶＤフォーマット対応であり、Ｂｌｕ−ｒａｙフォーマット、ＨＤ−ＤＶＤフォーマットに対応する機器を所有するユーザは多くない。従って、ＤＶＤフォーマット対応の機器を持つユーザは、Ｂｌｕ−ｒａｙフォーマット、ＨＤ−ＤＶＤフォーマットの記録コンテンツの再生が不可能になるという問題がある。また、Ｂｌｕ−ｒａｙフォーマット、またはＨＤ−ＤＶＤフォーマットに対応する記録再生機を所有するユーザは、旧来のＤＶＤフォーマットで記録されたコンテンツ再生ができなくなるという問題がある。
【００１１】
このような問題の１つの解決策として、複数の異なるフォーマットでの記録再生を実現するシステムを提供することが考えられる。例えば、特許文献１には、ＣＤとＤＶＤの異なる各フォーマットでの記録データを有するハイブリッド型ディスクおよびその再生処理構成が記述されている。
【００１２】
しかし、例えば、同一コンテンツについて、異なるフォーマットの記録データを生成する場合は、同じコンテンツについての複数回の記録処理を行なうことが必要となり、コンテンツ記録に長時間を要することになる。
【特許文献１】特開２００１−１６７５１５号公報
【発明の開示】
【発明が解決しようとする課題】
【００１３】
本発明は、このような状況に鑑みてなされたものであり、異なるフォーマットに従ってデータ記録を行なう場合に、効率的なデータ記録を可能とした情報処理装置、および情報処理方法、並びにコンピュータ・プログラムを提供することを目的とする。
【課題を解決するための手段】
【００１４】
本発明の第１の側面は、
多層型の光ディスクに対するデータ記録処理を実行する情報処理装置であり、
記録データについてのエンコード処理を実行するエンコード処理部と、
前記エンコード処理部におけるエンコードデータに基づいて、異なる記録フォーマットに対応する複数の変調データを生成する変調部と、
前記変調部において生成した異なる記録フォーマットに対応する変調データの各々を前記光ディスクの異なる層に順次記録するピックアップと、
前記異なる記録フォーマットに対応する複数の変調データについての単位データあたりの記録処理を、前記エンコード処理部における単位データあたりのエンコード処理時間内に完了させる処理制御を実行するコントローラと、
を有する構成であることを特徴とする情報処理装置にある。
【００１５】
さらに、本発明の情報処理装置の一実施態様において、前記エンコード処理部は、記録データに基づいて、ＨＤ（Ｈｉｇｈ  Ｄｅｆｉｎｉｔｉｏｎ）対応のエンコード処理、およびＳＤ（Ｓｔａｎｄａｒｄ  Ｄｅｆｉｎｉｔｉｏｎ）対応のエンコード処理を実行する構成を有し、前記変調部は、ＨＤ対応エンコードデータに対応する変調データと、ＳＤ対応エンコードデータに対応する変調データとを生成し、前記コントローラは、ＨＤ対応の変調データとＳＤ対応の変調データとを前記光ディスクの異なる層に順次記録する処理制御を行なう構成であることを特徴とする。
【００１６】
さらに、本発明の情報処理装置の一実施態様において、
前記変調部は、
（ａ）ＤＶＤフォーマット、
（ｂ）Ｂｌｕ−ｒａｙフォーマット
（ｃ）ＨＤ−ＤＶＤフォーマット
上記（ａ）〜（ｃ）の少なくとも２種類のフォーマットに対応する複数の変調データを生成する処理を実行する構成であることを特徴とする。
【００１７】
さらに、本発明の情報処理装置の一実施態様において、前記情報処理装置は、さらに、前記エンコードデータに対する誤り訂正符号を付加するＥＣＣ回路を有し、該ＥＣＣ回路は、前記光ディスクの異なる層に順次記録するエンコードデータの各々に誤り訂正符号を付加する処理を実行する構成であることを特徴とする。
【００１８】
さらに、本発明の情報処理装置の一実施態様において、前記コントローラは、記録データについてのエンコード処理、誤り訂正符号付加処理、変調処理、記録処理についてのパイプライン処理制御を行なう構成であることを特徴とする。
【００１９】
さらに、本発明の第２の側面は、
多層型の光ディスクに対するデータ記録処理を実行する情報処理方法であり、
記録データについてのエンコード処理を実行するエンコード処理ステップと、
前記エンコード処理ステップにおいて生成したエンコードデータに基づいて、異なる記録フォーマットに対応する複数の変調データを生成する変調ステップと、
前記変調ステップにおいて生成した異なる記録フォーマットに対応する変調データの各々を前記光ディスクの異なる層に順次記録する記録ステップと、
前記異なる記録フォーマットに対応する複数の変調データについての単位データあたりの記録処理を、前記エンコード処理ステップにおける単位データあたりのエンコード処理時間内に完了させる処理制御を実行する制御ステップと、
を有することを特徴とする情報処理方法にある。
【００２０】
さらに、本発明の情報処理方法の一実施態様において、前記エンコード処理ステップは、記録データに基づいて、ＨＤ（Ｈｉｇｈ  Ｄｅｆｉｎｉｔｉｏｎ）対応のエンコード処理、およびＳＤ（Ｓｔａｎｄａｒｄ  Ｄｅｆｉｎｉｔｉｏｎ）対応のエンコード処理を実行するステップであり、前記変調ステップは、ＨＤ対応エンコードデータに対応する変調データと、ＳＤ対応エンコードデータに対応する変調データとを生成するステップであり、前記制御ステップは、ＨＤ対応の変調データとＳＤ対応の変調データとを前記光ディスクの異なる層に順次記録する処理制御を行なうステップであることを特徴とする。
【００２１】
さらに、本発明の情報処理方法の一実施態様において、前記変調ステップは、
（ａ）ＤＶＤフォーマット、
（ｂ）Ｂｌｕ−ｒａｙフォーマット
（ｃ）ＨＤ−ＤＶＤフォーマット
上記（ａ）〜（ｃ）の少なくとも２種類のフォーマットに対応する複数の変調データを生成する処理を実行するステップであることを特徴とする。
【００２２】
さらに、本発明の情報処理方法の一実施態様において、前記情報処理方法は、さらに、前記エンコードデータに対する誤り訂正符号を付加する誤り訂正符号付加ステップを有し、該誤り訂正符号付加ステップは、前記光ディスクの異なる層に順次記録するエンコードデータの各々に誤り訂正符号を付加する処理を実行するステップであることを特徴とする。
【００２３】
さらに、本発明の情報処理方法の一実施態様において、前記制御ステップは、記録データについてのエンコード処理、誤り訂正符号付加処理、変調処理、記録処理についてのパイプライン処理制御を行なうことを特徴とする。
【００２４】
さらに、本発明の第３の側面は、
多層型の光ディスクに対するデータ記録処理を情報記録処理装置において実行させるコンピュータ・プログラムであり、
記録データについてのエンコード処理を実行するエンコード処理ステップと、
前記エンコード処理ステップにおいて生成したエンコードデータに基づいて、異なる記録フォーマットに対応する複数の変調データを生成する変調ステップと、
前記変調ステップにおいて生成した異なる記録フォーマットに対応する変調データの各々を前記光ディスクの異なる層に順次記録する記録ステップと、
前記異なる記録フォーマットに対応する複数の変調データについての単位データあたりの記録処理を、前記エンコード処理ステップにおける単位データあたりのエンコード処理時間内に完了させる処理制御を実行する制御ステップと、
を有することを特徴とするコンピュータ・プログラムにある。
【００２５】
なお、本発明のコンピュータ・プログラムは、例えば、様々なプログラム・コードを実行可能なコンピュータシステムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータシステム上でプログラムに応じた処理が実現される。
【００２６】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本発明の一実施例の構成によれば、複数の積層された記録層を有する多層型の光ディスクに対する記録データについてのエンコード処理、エンコードデータに基づく異なる記録フォーマットに対応する複数の変調データの生成処理、各変調データの光ディスクの異なる層への記録処理の実行において、コントローラによる処理制御によって、単位データの複数の異なるフォーマットデータの記録処理を、エンコード処理部における単位データあたりのエンコード処理時間内に完了させる制御を実行する構成としたので、入力データに対する遅れを発生させることなく光ディスクに対して異なるフォーマットのデータを各層に記録することが可能となり、１つのフォーマットのデータ記録と同様の処理時間で複数のフォーマットに従った複数のデータを記録することが可能となる。
【発明を実施するための最良の形態】
【００２８】
以下、図面を参照しながら本発明の情報処理装置、および情報処理方法、並びにコンピュータ・プログラムの詳細について説明する。
【００２９】
図１を参照して、本発明の情報処理装置の構成について説明する。図１において、光ディスク１１１は、多層型の光ディスクである。多層型の光ディスクの構成例について、図２を参照して説明する。図２に示す光ディスク１１１は、記録層を２層に形成した例である。基板１５１上に第１の記録層（Ｌ０）１５２が形成されており、その上に、中間層１５３を介して第２の記録層（Ｌ１）１５４が形成されている。第２の記録層１５４上には、保護層１５５が形成されている。ピックアップからのレーザ光は、基板１５１側から記録層１５２あるいは記録層１５４に入射する。
【００３０】
図１に戻り、本発明の情報処理装置の構成についての説明を続ける。図２に示す多層型の光ディスク１１１は、サーボ回路１１２により規定の回転数を保つように制御され回転する。また、ピックアップ１１３は光ディスク１１１の所定位置での記録再生が実行できるようにサーボ回路１１２で制御される。また、レーザは、レーザーパワーコントロール回路１１４によって所定のパワーになるように制御される。
【００３１】
ピックアップ１１３は、例えば、光ディスク１１１にあらかじめトラックを蛇行させて記録されているアドレス情報をトラッキング信号として読み出し、その信号をアドレス復号回路１１５に入力する。アドレス復号回路１１５では、光ディスク１１１に記録されているアドレス情報を復号し、ディスクコントローラ１１６に与える。
【００３２】
ディスクコントローラ１１６は、復号されたアドレス情報に基づいて、光ディスク１１１の所望位置にピックアップ１１３を制御するため、アドレス情報に基づく制御信号を生成しサーボ回路１１２に与える。サーボ回路１１２は、ディスクコントローラ１１６から入力するアドレス情報に基づく制御信号に従ってピックアップ１１３を制御し、光ディスク１１１の所望位置にピックアップを移動してデータ記録、あるいはデータ再生を実行する。
【００３３】
次に、図１に示す本発明の情報処理装置においてデータ記録処理を行なう場合の処理の詳細について、図１他を参照して説明する。本発明の情報処理装置では、多層型の光ディスク１１１の各層に対して、並列に異なるフォーマットでのデータ記録を実行する。
【００３４】
本発明の情報処理装置が実行する並列記録処理における記録フォーマットの組み合わせ例について、図３を参照して説明する。図３（Ａ）は、先に図２を参照して説明した２層構成の光ディスクの断面構成を示している。基板上に第１の記録層（Ｌ０）が形成され、その上に、中間層を介して第２の記録層（Ｌ１）が形成され、第２の記録層上に保護層が形成されている。ピックアップからのレーザ光は、基板側から記録層（Ｌ０）あるいは記録層（Ｌ１）に入射する。
【００３５】
例えば、基板表面から第１の記録層（Ｌ０）までの距離を０．１ｍｍ、基板表面から第２の記録層（Ｌ１）までの距離を０．６ｍｍに設定してある。図３（Ｂ１）〜（Ｂ３）は、本発明の情報処理装置が実行する並列記録処理における記録フォーマットの組み合わせ例を示している。図３（Ｂ１）〜（Ｂ３）に示すＨＤは、ＨＤ（Ｈｉｇｈ  Ｄｅｆｉｎｉｔｉｏｎ）データであり、ＳＤは、ＳＤ（Ｓｔａｎｄａｒｄ  Ｄｅｆｉｎｉｔｉｏｎ）データを表している。
【００３６】
図３（Ｂ１）は、
第１の記録層（Ｌ０）：ＨＤ（Ｂｌｕ−ｒａｙフォーマット）
第２の記録層（Ｌ１）：ＳＤ（ＤＶＤフォーマット）
図３（Ｂ２）は、
第１の記録層（Ｌ０）：ＨＤ（Ｂｌｕ−ｒａｙフォーマット）
第２の記録層（Ｌ１）：ＨＤ（ＨＤ−ＤＶＤフォーマット）
図３（Ｂ３）は、
第１の記録層（Ｌ０）：ＨＤ（Ｂｌｕ−ｒａｙフォーマット）
第２の記録層（Ｌ１）：ＨＤ（ＤＶＤフォーマット）
これらの３種類のフォーマットの組み合わせ例を示している。
【００３７】
本発明の情報処理装置では、第１（Ｌ０）、第２（Ｌ１）の記録層に対して、例えばこれら図３（Ｂ１）〜（Ｂ３）の異なるフォーマットの記録データを記録する処理を、通常の１つのフォーマットデータの記録処理と同様の処理時間で記録することを可能とするものである。
【００３８】
図３（Ｂ１）に示すフォーマットの組み合わせを持つ２つのフォーマットデータを記録する場合の光ディスクに対する記録処理の実行シーケンスについて、図４を参照して説明する。
【００３９】
図４は、左から右に時間（ｔ）が経過しており、各時間における図１に示す各構成部の出力データ［Ｄ１］、［Ｄ２］、［Ｄ３］の推移を示すタイムチャートである。
【００４０】
出力データ［Ｄ１］、［Ｄ２］、［Ｄ３］は、図１にも示しているように、
［Ｄ１］：アナログデジタル変換部（Ａ／Ｄ）１３１の出力
［Ｄ２］：システムＲＡＭ１２３の出力
［Ｄ３］：ディスクＲＡＭの出力
これらの各構成部の出力に相当する。
【００４１】
図４に示す時間Ｔ１，Ｔ２，Ｔ３は、それぞれ一定の処理単位データがアナログデジタル変換部（Ａ／Ｄ）１３１から出力され、エンコード処理部１２４においてエンコード処理が完了する期間に相当し、それぞれ等しい時間（Ｔ１＝Ｔ２＝Ｔ３）である。
【００４２】
すなわち、
時間Ｔ１：デジタルデータＮ
時間Ｔ２：デジタルデータＮ＋１
時間Ｔ３：デジタルデータＮ＋２
これらの各時間において、各処理単位データがアナログデジタル変換部（Ａ／Ｄ）１３１から出力され、エンコード処理部１２４においてエンコード処理が完了する。なお、Ｔ４〜においても、順次、継続する処理単位データについて同様の処理が実行される。
【００４３】
時間Ｔ１＝Ｔ２＝Ｔ３は、例えばエンコード処理部１２４におけるエンコード処理時間として必要となる最大時間に設定される。この図４に示すタイムチャートに従った処理制御は、図１に示すシステムコントローラ１２６、ディスクコントローラ１１６等のコントローラによる制御によって実現される。これらのコントローラは、記録データについてのエンコード処理、誤り訂正符号付加処理、変調処理、記録処理についてのパイプライン処理制御を行ない、図４に示すタイムチャートに従った処理を実現する。
【００４４】
図１に示すアナログデジタル変換部（Ａ／Ｄ）１３１は、光ディスク１１１に対する記録予定データとしての映像および音声のアナログ信号を入力し、入力信号をデジタル化した後、エンコード処理部１２４に入力する。
【００４５】
例えば、図４に示すデジタル映像データＮ、デジタル音声データＮは、エンコード処理部１２４において、情報量圧縮を伴うエンコード処理がなされる。エンコード処理は、例えばＭＰＥＧ圧縮処理などである。
【００４６】
本発明の情報処理装置においては、前述のように、例えば図３（Ｂ１）に示すフォーマットの組み合わせを持つ２つのフォーマットデータを記録する。すなわち、
第１の記録層（Ｌ０）：ＨＤ（Ｂｌｕ−ｒａｙフォーマット）
第２の記録層（Ｌ１）：ＳＤ（ＤＶＤフォーマット）
である。
【００４７】
これらの２種類のデータ、すなわちＨＤデータおよびＳＤデータを記録する場合は、エンコード処理部１２４は、ＨＤデータに対応する圧縮処理データとしてのＨＤ対応エンコードデータと、ＳＤデータに対応する圧縮処理データとしてのＳＤ対応エンコードデータの２種類のエンコードデータを生成する。
【００４８】
図５を参照して、図３（Ｂ１）に示すフォーマットの組み合わせを持つ２つのフォーマットデータを記録する場合に適用するエンコード処理部１２４の構成および処理について説明する。
【００４９】
図５に示すように、エンコード処理部１２４は、ＨＤ対応エンコード部２０１、ＳＤ対応エンコード部２０２を有する。アナログデジタル変換部（Ａ／Ｄ）１３１を介して光ディスク１１１に対する記録予定データとしての映像および音声のデジタル信号は、ＨＤ対応エンコード部２０１、ＳＤ対応エンコード部２０２においてそれぞれ、ＨＤ対応のエンコード処理、ＳＤ対応のエンコード処理が実行され、ＨＤ対応ＡＶデジタルデータ、ＳＤ対応ＡＶデジタルデータとして、図１に示すシステムＲＡＭ１２３に格納される。
【００５０】
例えば、図４に示す時間Ｔ１において、エンコード処理部１２４は、アナログデジタル変換部（Ａ／Ｄ）１３１を介して入力する映像および音声データの処理単位［Ｎ］についてのＨＤ対応エンコードおよびＳＤ対応エンコードを実行して、システムＲＡＭ１２３にこれらのエンコードデータを格納すると、次の時間Ｔ２において、次の処理単位［Ｎ＋１］のエンコード処理を実行する。以下、順次処理単位［Ｎ＋２］，［Ｎ＋３］・・のエンコード処理を実行する。
【００５１】
システムＲＡＭ１２３は、時間Ｔ１の終了後、処理単位［Ｎ］のエンコードデータ（ＨＤ対応エンコードデータとＳＤ対応エンコードデータ）をシステムコントローラ１２６の制御の下に、インタフェース回路１２２を介して、光ディスク１１１側のディスクＲＡＭ１２０に出力する。このデータ出力処理は、図４においてシステムＲＡＭ出力データ［Ｄ２］として示される時間Ｔ２の前半におけるデータ出力処理に相当する。
【００５２】
図４のタイムチャートに示すように、システムＲＡＭ１２３は、エンコード処理部１２４からの各処理単位［Ｎ］，［Ｎ＋１］，［Ｎ＋２］・・の各エンコードデータの入力を完了した時点で各処理単位のエンコードデータをディスクＲＡＭに出力する。
【００５３】
ディスクＲＡＭ１２０内に格納されたＡＶデジタルデータ［Ｎ］は、ＥＣＣ（Ｅｒｒｏｒ  Ｃｏｌｌｅｃｔｉｏｎ  Ｃｏｄｅ）回路１２１によって誤り訂正符号が付加され、誤り訂正符号の付加されたＡＶデジタルデータ［Ｎ］が一時的にディスクＲＡＭ１２０内に蓄えられる。ＨＤ対応エンコードデータとＳＤ対応エンコードデータのそれぞれに対して、誤り訂正符号が個別に付加され、誤り訂正符号の付加された２つ（ＨＤおよびＳＤ）のＡＶデジタルデータ［Ｎ］が一時的にディスクＲＡＭ１２０内に蓄えられる。
【００５４】
ディスクコントローラ１１６は、ディスクＲＡＭ１２０内に格納された２つのＡＶデジタルデータ［Ｎ］（ＨＤおよびＳＤ）をそれぞれ読み出して、多層型の光ディスク１１１の各層に記録する処理を実行する。すなわち、図３（Ｂ１）に示すように第１層（Ｌ０）にＢｌｕ−ｒａｙフォーマットでＨＤデータを記録し、第２層（Ｌ１）にＤＶＤフォーマットでＳＤデータを記録する制御を行なう。
【００５５】
図４に示すタイミングチャートにおいて、ディスクＲＡＭ出力データ［Ｄ３］の時間Ｔ１'に示す時間内に、これらの２つのフォーマットに従った２つのデータの記録処理を完了させる。なお、図４に示す時間Ｔ１'はＡ／Ｄ出力ＡＶデータの欄に示す時間Ｔ１，Ｔ２，Ｔ３に等しい時間である。
【００５６】
ディスクコントローラ１１６は、まず、ＨＤ対応記録データ［Ｎ］をディスクＲＡＭ１２０から読み出し、変調回路１１７に送る。変調回路１１７では、光ディスク１１１の第１層（Ｌ０）に記録するＢｌｕ−ｒａｙフォーマットに従った変調処理を実行し、変調データは、レーザーパワーコントロール回路１１４に入力され、変調データに応じて、レーザ変調が実行され、光ディスク１１１の第１層（Ｌ０）にＨＤデータ［Ｎ］がＢｌｕ−ｒａｙフォーマットに従って記録される。この記録処理は、図４に示すタイムチャートのブロック１８１に相当するデータの記録処理である。
【００５７】
次に、ディスクコントローラ１１６は、ＳＤ対応記録データ［Ｎ］をディスクＲＡＭ１２０から読み出し、変調回路１１７に送る。変調回路１１７では、光ディスク１１１の第２層（Ｌ１）に記録するＤＶＤフォーマットに従った変調処理を実行し、変調データは、レーザーパワーコントロール回路１１４に入力され、変調データに応じて、レーザ変調が実行され、光ディスク１１１の第２層（Ｌ１）にＳＤデータ［Ｎ］がＤＶＤフォーマットに従って記録される。この記録処理は、図４に示すタイムチャートのブロック１８２に相当するデータの記録処理である。このようにして、順次ＡＶデジタルデータが、第１層、第２層に記録される。
【００５８】
これらのデータ記録処理は、図４に示すタイミングチャートに示す時間Ｔ１'以内に完了するようにディスクコントローラ１１６の制御の下、実行される。次の処理単位［Ｎ＋１］についても、同様の時間Ｔ２'内に同様の処理が実行され、光ディスク１１１の各層に対して、ＨＤデータおよびＳＤデータがそれぞれ異なるフォーマットで記録される。
【００５９】
このような記録処理を実行することで、各処理単位［Ｎ］，［Ｎ＋１］，［Ｎ＋２］・・の異なる２つのフォーマットデータが、光ディスク１１１の各層に順次記録される。記録処理時間は、図４に示すように、アナログデジタル変換部（Ａ／Ｄ）１３１を介して入力する各処理単位の映像および音声データの入力時間Ｔ１，Ｔ２に相当する時間Ｔ１'、Ｔ２'、・・・以内に設定され、通常の１つのフォーマットデータの記録処理と同様の処理時間で異なるフォーマットの２つのデータ記録が実行されることになる。
【００６０】
処理タイミングを制御するシステムコントローラ１２６、ディスクコントローラ１１６等のコントローラは、複数の変調データについての単位データあたりの記録処理を、エンコード処理部１２４における単位データあたりのエンコード処理時間内に完了させる制御を実行するので、入力データに対する遅れを発生させることなく光ディスクに対して異なるフォーマットのデータを各層に記録することが可能となり、１つのフォーマットのデータ記録と同様の処理時間で複数のフォーマットに従った複数のデータを記録することが可能となる。
【００６１】
なお、上述の処理例は、図３（Ｂ１）に示す記録態様、すなわち、
第１の記録層（Ｌ０）：ＨＤ（Ｂｌｕ−ｒａｙフォーマット）
第２の記録層（Ｌ１）：ＳＤ（ＤＶＤフォーマット）
の各データの記録処理例を説明したが、その他の記録態様、すなわち、
図３（Ｂ２）に示す、
第１の記録層（Ｌ０）：ＨＤ（Ｂｌｕ−ｒａｙフォーマット）
第２の記録層（Ｌ１）：ＨＤ（ＨＤ−ＤＶＤフォーマット）
図３（Ｂ３）に示す、
第１の記録層（Ｌ０）：ＨＤ（Ｂｌｕ−ｒａｙフォーマット）
第２の記録層（Ｌ１）：ＨＤ（ＤＶＤフォーマット）
これらのフォーマット組み合わせによる記録処理においても処理シーケンスとしては、図４に示すタイミングで実行される。
【００６２】
ただしエンコード処理部１２４におけるエンコード処理態様と、変調回路１１７における変調処理は、それぞれのデータおよびフォーマットに応じた処理として実行することになる。
【００６３】
なお、光ディスク１１１における各層の異なるフォーマットデータの記録位置としては、例えば、図６に示すように、様々な位置設定が可能である。図６（Ａ）はそれぞれ異なるフォーマットで記録されるＨＤデータとＳＤデータをディスク内周から順次、外周に向かって記録する処理構成であり、図６（Ｂ）はそれぞれ異なるフォーマットで記録されるＨＤデータとＳＤデータについて、ＳＤデータはディスク内周から外周に向かって記録し、ＨＤデータはディスク外周から内周に向かって記録する処理構成である。この他にも、様々な記録位置の設定は可能である。ただし、同一の処理単位の２つのフォーマットデータは、一定の処理時間に記録することが必要であり、ピックアップのシーク時間等を考慮して、上述の処理時間（図４に示す時間Ｔ１（＝Ｔ１'）に２つのデータの記録処理が完了する制御を行うことが必要である。
【００６４】
次に、このような異なるフォーマットで記録されたデータの再生処理について、図１を参照して説明する。再生処理は、光ディスク１１１のいずれかの層の記録データを選択して再生する処理を行なうことになる。
【００６５】
光ディスク１１１からの記録データ再生に際して、まず、サーボ回路１１２によって、ピックアップ１１３の制御がなされ、再生対象データとしての記録データの位置にシーク処理がなされ、読み取り対象データの記録された層に対するフォーカス制御がなされて、所定の記録データの読み取りが開始される。
【００６６】
読み取りデータを記録データ［Ｎ］とする。ピックアップ１１３の読み取り信号は、ＲＦ信号と呼ばれる光強度信号であり、ＲＦ信号は、２値化回路１１８において波形整形処理がなされて２値化され、デジタルデータとしての［０］、［１］データに変換された後、復調回路１１９に入力される。復調回路１１９に入力された２値化信号は、復調回路１１９によって、読み取りデータのフォーマットに従った復調処理が実行される。例えばＥＦＭプラス復調などが施され、ディスクＲＡＭ１２０に蓄えられる。
【００６７】
さらに、ディスクＲＡＭ１２０に格納されたデータに対してＥＣＣ回路１２１によって誤りも訂正符号に基づくエラー訂正処理が実行され、読み取りデータに誤りがあった場合には訂正処理が行われる。訂正が施されたデータは、インタフェース回路１２２を介して、ディスクＲＡＭ１２０からシステムＲＡＭ１２３に蓄えられる。
【００６８】
さらに、システムコントローラ１２６の制御によって、システムＲＡＭ１２３に格納されたデータがデコード処理部１２５に入力されて、データのエンコード態様に応じたデコード処理がなされる。例えば読み取りデータがＨＤデータである場合は、ＨＤ対応のデコード処理が実行され、ＳＤデータである場合は、ＳＤ対応のデコード処理が実行される。
【００６９】
デコードされたデータは、デジタルアナログ変換器（Ｄ／Ａ：Ｄｉｇｉｔａｌ  ｔｏ  Ａｎａｌｏｇ）１３２に入力され、デジタルアナログ変換処理が行なわれて、映像および音声データが映像出力信号、音声出力信号として出力、再生される。
【００７０】
旧来のＤＶＤフォーマットデータの再生処理のみが可能な再生装置であれば、例えば、図３（Ｂ１）の記録データを持つディスクから第２層（Ｌ１）に記録されたＤＶＤフォーマットのＳＤデータを読み出して再生することが可能である。あるいは、図３（Ｂ３）の記録テータ構成であれば、図３（Ｂ３）の記録データを持つディスクから第２層（Ｌ１）に記録されたＤＶＤフォーマットのＨＤデータを読み出して再生することが可能である。
【００７１】
また、ＨＤ−ＤＶＤフォーマットデータの再生が可能な再生装置であれば、例えば、図３（Ｂ２）の記録データを持つディスクから第２層（Ｌ１）に記録されたＨＤ−ＤＶＤフォーマットのＨＤデータを読み出して再生することが可能となる。
【００７２】
さらに、Ｂｌｕ−ｒａｙフォーマットデータの再生が可能な再生装置であれば、図３（Ｂ１）〜（Ｂ３）のいずれかの記録データを持つディスクから第１層（Ｌ０）に記録されたＢｌｕ−ｒａｙフォーマットのＨＤデータを読み出して再生することが可能となる。
【００７３】
なお、旧来のＤＶＤフォーマットの記録、再生と、ＨＤ−ＤＶＤフォーマットまたはＢｌｕ−ｒａｙフォーマットのいずれかの記録、再生を行なう装置は、異なるレーザ波長の記録再生ピックアップを備えることが必要である。ＨＤ−ＤＶＤフォーマットとＢｌｕ−ｒａｙフォーマットの２フォーマットに対応する装置であれば、青色波長のレーザに対応するピックアップを備えればよい。
【００７４】
次に、図７に示すフローチャートを参照して、本発明の情報処理装置の実行するデータ記録処理シーケンスを説明する。ステップＳ１０１において、記録処理データを所定処理単位のデジタルデータとしてエンコード処理部に入力する。図１に示すエンコード処理部１２４であり、例えば図５に示すＨＤデータおよびＳＤデータ対応のエンコード処理部を有する。
【００７５】
次に、ステップＳ１０２において、エンコード処理部が、記録態様に応じたエンコード処理を実行する。例えばＳＤデータと、ＨＤデータの記録を行なう場合は、これらの各データに対応するエンコードを実行する。
【００７６】
次に、ステップＳ１０３において、各エンコードデータに対する誤り訂正符号付加処理を実行する。この処理は、図１に示すディスクＲＡＭに格納されたデータに対してＥＣＣ回路１２１の処理として実行される処理である。
【００７７】
次に、ステップＳ１０４において、エンコードデータ各々に対して、記録フォーマットに対応した変調処理を実行する。これは、光ディスクの各層に対する記録フォーマットに対応する変調処理であり、ＤＶＤフォーマット、ＨＤ−ＤＶＤフォーマット、Ｂｌｕ−ｒａｙフォーマットそれぞれに応じた変調処理が実行される。この処理は、図１の変調回路１１７が実行する。
【００７８】
次に、ステップＳ１０５において、異なるフォーマットに対応した複数の変調データをディスクの各層に順次記録する。これば、図１の変調回路１１７から順次出力する変調データに基づくピックアップ１１３による光ディスク１１１に対する書き込み処理として実行される。なお、データ書き込み位置は、例えば、図６を参照して説明したように、様々な書き込み位置設定が可能であり、書き込み位置に応じたシーク処理を行いながら、各層に対するデータ書き込みを実行する。
【００７９】
ステップＳ１０６において、全ての書き込みデータの処理が終了したか否かを判定し、未終了の場合は、ステップＳ１０１〜Ｓ１０５の処理を繰り返し実行する。なお、ステップＳ１０１〜Ｓ１０５の処理は、先に図４を参照して説明した処理タイミングに従って、いわゆるパイプライン処理態様によって順次、各処理が並列実行され、入力データに対する遅れを発生させることなく光ディスクに対して異なるフォーマットのデータを各層に記録することが可能となる。
【００８０】
このように、図１に示すシステムコントローラ１２６、ディスクコントローラ１１６等のコントローラは、記録データについてのエンコード処理、誤り訂正符号付加処理、変調処理、記録処理についてのパイプライン処理制御を行ない、図４に示すタイムチャートに従った処理を実現し、処理タイミングを制御するコントローラが、複数の変調データについての単位データあたりの記録処理を、エンコード処理部における単位データあたりのエンコード処理時間内に完了させる制御を実行するので、入力データに対する遅れを発生させることなく光ディスクに対して異なるフォーマットのデータを各層に記録することが可能となり、１つのフォーマットのデータ記録と同様の処理時間で複数のフォーマットに従った複数のデータを記録することが可能となる。
【００８１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８２】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８３】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８４】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８６】
以上、説明したように、本発明の一実施例の構成によれば、複数の積層された記録層を有する多層型の光ディスクに対する記録データについてのエンコード処理、エンコードデータに基づく異なる記録フォーマットに対応する複数の変調データの生成処理、各変調データの光ディスクの異なる層への記録処理の実行において、コントローラによる処理制御によって、単位データの複数の異なるフォーマットデータの記録処理を、エンコード処理部における単位データあたりのエンコード処理時間内に完了させる制御を実行する構成としたので、入力データに対する遅れを発生させることなく光ディスクに対して異なるフォーマットのデータを各層に記録することが可能となり、１つのフォーマットのデータ記録と同様の処理時間で複数のフォーマットに従った複数のデータを記録することが可能となる。
【図面の簡単な説明】
【００８７】
【図１】本発明の一実施例の情報処理装置構成を示す図である。
【図２】多層ディスクの構成を説明する図である。
【図３】本発明に従って光ディスクに記録されるデータ構成例について説明する図である。
【図４】本発明に従った光ディスクに対するデータ記録処理に伴う各処理のタイミングを示すタイムチャートを示す図である。
【図５】本発明の一実施例の情報処理装置におけるエンコード処理部の構成例について説明する図である。
【図６】本発明に従った光ディスクに対するデータ記録処理の記録位置設定例について説明する図である。
【図７】本発明に従った光ディスクに対するデータ記録処理シーケンスを説明するフローチャートを示す図である。て説明する図である。
【符号の説明】
【００８８】
１１１  光ディスク
１１２  サーボ回路
１１３  ピックアップ
１１４  レーザーパワーコントロール回路
１１５  アドレス復号回路
１１６  ディスクコントローラ
１１７  変調回路
１１８  ２値化回路
１１９  復調回路
１２０  ディスクＲＡＭ
１２１  ＥＣＣ回路
１２２  インタフェース回路
１２３  システムＲＡＭ
１２４  エンコード処理部
１２５  デコード処理部
１２６  システムコントローラ
１３１  アナログデジタル変換器
１３２  デジタルアナログ変換器
１５１  基板
１５２  第１の記録層
１５３  中間層
１５４  第２の記録層
１５５  保護層
２０１  ＨＤ対応エンコード部
２０２  ＳＤ対応エンコード部
【図１】
2007004856.tif 000003
【図２】
2007004856.tif 000004
【図３】
2007004856.tif 000005
【図４】
2007004856.tif 000006
【図５】
2007004856.tif 000007
【図６】
2007004856.tif 000008
【図７】
2007004856.tif 000009